(57)【要約】【課題】カットされた１枚目の帳票の先端が、収納部の底面上でスライドせず、確実に所定方向に収納されるようにして、その後に収納される帳票の方向を一定にできる帳票発行装置を提供する。【解決手段】ロール状に巻回された帳票用紙１１を、その一端側から巻き戻し、所定の印字を施した後、所定長さにカットして送出する帳票発行装置で、所定長さにカットされた帳票１６を収納する収納部１７の底面の、帳票１６の先端が落下する部分に、帳票先端の送出方向前方へのスライドに対する抵抗部２０を形成した。【選択図】図１
2007238241.tif 000002
【特許請求の範囲】
【請求項１】
ロール状に巻回された帳票用紙を、その一端側から巻き戻し、所定の印字を施した後、所定長さに送出してカットする帳票発行装置であって、
所定長さにカットされた帳票を収納する収納部底面の、前記帳票の先端が落下する部分に、前記帳票先端の前記送出方向前方へのスライドに対する抵抗部を形成した
ことを特徴とする帳票発行装置。
【請求項２】
抵抗部は、突起状、段差状または粗面状のいずれかの形状であることを特徴とする請求項１に記載の帳票発行装置。
【請求項３】
帳票用紙のカット部から収納部底面までの垂直方向の距離をａ、前記カット部から抵抗部までの水平方向の距離をｂ、カットされた帳票の送出方向の長さをｃとし、これらの寸法関係を、ａ＞ｃで、ｂ＜ｃに設定したことを特徴とする請求項1に帳票発行装置。
【発明の詳細な説明】
【技術分野】
【０００１】
本発明は、ロール状に巻回された帳票用紙を、その一端側から巻き戻し、所定の印字を施した後、所定長さに送出してカットする帳票発行装置に関する。
【背景技術】
【０００２】
従来、ロール状に巻回された、いわゆるロール紙と呼ばれる帳票用紙を、その一端側から巻き戻し、所定の印字を施した後、所定長さ送出してカットし、帳票とする機構がファクシミリなどの出力部に用いられており、その帳票出力部に関する提案もいくつかなされている（例えば、特許文献１，２参照）。
【０００３】
このようなロール紙を用い、所定の印字後、帳票として発行する装置は、レシートの発行機など、印字を伴う各種の帳票発行装置として広く一般に用いられている。
【０００４】
ところで、図４（ａ）で示すように印字ヘッド４により印字され、カッター５により所定長さにカットされた帳票６は、下方に設けられた収納部７内に落下し、収納される。この場合、帳票６はロール紙をカットしたものであるから、図示のように、ロールによる巻癖が付いたカール状の形状となる。
【０００５】
このような帳票は、収納部７内において一定方向に揃って収納されることが望ましい。通常は、カットされた帳票６がカール状であるため、図４（ｃ）のように、収納部７への落下により、その底面に帳票６の先端が当接し、この先端部を中心に図示右回り転がり、カールの凹面が上向きの状態で積み重ねられることが期待されている。
【０００６】
しかしながら、帳票６の先端が何らかの影響で、図４（ｂ）で示すように収納部７の底面上で図示右方にスライドすると、カールされた帳票６はその凹面が下向きの状態になってしまう。このように、１枚目の帳票が、その凹面を下向きにした状態で収納されると、２枚目以降の収納状態は、自身の前に発行された帳票のカール状態や収納状態により、図５で示すように、各帳票６の収納方向がばらばらになってしまう。
【特許文献１】特開平６−２９３４５９号公報
【特許文献２】特開平４−３０８１５１号公報
【発明の開示】
【発明が解決しようとする課題】
【０００７】
このように、カットされた１枚目の帳票の先端が、収納部の底面上でスライドして収納方向が逆向きになると、２枚目以降の各帳票の収納方向がばらばらになってしまい、その後の整理に多くの手間を必要とする。
【０００８】
本発明の目的は、カットされた１枚目の帳票の先端が、収納部の底面上でスライドせず、確実に所定方向に収納されるようにして、その後に収納される帳票の方向を一定にできる帳票発行装置を提供することにある。
【課題を解決するための手段】
【０００９】
本発明の帳票発行装置は、ロール状に巻回された帳票用紙を、その一端側から巻き戻し、所定の印字を施した後、所定長さ送出してカットする帳票発行装置であって、所定長さにカットされた帳票を収納する収納部底面の、前記帳票の先端が落下する部分に、前記帳票先端の前記送出方向前方へのスライドに対する抵抗部を形成したことを特徴とする。
【００１０】
本発明では、抵抗部は、突起状、段差状または粗面状のいずれの形状であってもよい。
【００１１】
また、本発明では、帳票用紙のカット部から収納部底面までの垂直方向の距離をａ、前記カット部から抵抗部までの水平方向の距離をｂ、カットされた帳票の送出方向の長さをｃとし、これらの寸法関係を、ａ＞ｃで、ｂ＜ｃに設定するとよい。
【発明の効果】
【００１２】
本発明によれば、カットされた帳票の先端が収納部の底面に設けた抵抗部により、スライドすることなく、帳票を確実に回転させるので、収納部内における帳票の収納方向を同じ方向にそろえることができる。
【発明を実施するための最良の形態】
【００１３】
以下、本発明による帳票発行装置の一実施の形態について、図面を用いて詳細に説明する。
【００１４】
図１において、１０は装置本体を構成する筐体で、その内部にはロール状に巻回された帳票用紙（以下ロール紙と呼ぶ）１１が、セット部１２にセットされている。このロール紙１１の一端は、上下一対のローラからなる搬送部１３により引き出され、巻き戻されて、図示右方に送られる。１４は印字部で、ロール紙１１から巻き戻された帳票上に所定の印字を行う。１５はカッターで、印字部１４で印字されて所定長さ送出された帳票部分をカットし、図２で示すように所定長さの独立した帳票１６とする。１７は収納部で、筐体１０からの出口部分、すなわち、筐体１０の、カッター１５によるカット部１５ａに隣接した外側面に取り付けられており、筐体１０から送出され、カッター１５でカットされた独立した帳票１６を、一定の向きに積み重ねて収納する。
【００１５】
ここで、上記収納部１７の底面上の、カットされた帳票１６の先端が落下する部分にリブ状の突起２０を設ける。この突起２０は、落下した帳票１６の先端が、その送出方向前方（図示右方向）へスライドすることを防止する抵抗部として機能する。この抵抗部となる突起２０が形成される位置は、上述のようにカットされた帳票１６の先端が落下する位置であるが、具体的には次のように設定する。
【００１６】
図２において、帳票用紙のカット部１５ａから収納部１７の底面までの垂直方向の距離をａ、カット部１５ｂから突起２０までの水平方向の距離をｂ、カットされた帳票１６の送出方向の長さをｃとした場合、これらの寸法関係を、ａ＞ｃで、ｂ＜ｃに設定した。すなわち、カット部１５ａから収納部１７の底面までの高さ寸法ａは帳票の長さ寸法ｃより大きく、また、カット部１５ａから底面上の突起２０までの水平長さは帳票の長さ寸法Ｃより短く設定する。
【００１７】
上記構成において、筐体１０内にセットされたロール紙１１は、搬送部１３により巻き戻され、図示右方に送られる。この巻き戻された用紙に対し、印字部１４で所定の印字が行われ、さらに、所定長さ図示右方に送出された後、カッター１５により所定長さの独立した帳票１６としてカットする。カットされた帳票１６は、ロール紙１１を巻き戻したものであるため、カット後においてもカール状に湾曲している。
【００１８】
この湾曲した帳票１６は、カット部１５ａから収納部１７内に落下し、先ず、その先端が収納部１７の底面上に当接する。この底面上には、突起２０が形成されており、その位置は、前述のように、カット部１５ａから底面までの高さをａ、カット部１５ｂから突起２０までの水平距離をｂ、カットされた帳票１６の長さをｃとした場合、ａ＞ｃで、ｂ＜ｃに設定している。このため、落下した帳票１６の先端は、必ず突起２０の内側（図示左側）の底面に当接する。このため、落下時の状態により、帳票１６に図示右方の力が加わっていても、帳票１６の先端が図示右方にスライドすることはなく、帳票１６は、必ず先端部を支点として図示右回りに回転し、湾曲凹面が上向きの状態（予め予定していた方向）で収納される。
【００１９】
このようにして最初の１枚が予定通りの湾曲凹面が上向きの方向に収納されることにより、これ以降落下する帳票１６も全て同じ方向に収納される。このことは実験により確認されている。このように、全ての帳票が同じ方向で収納部１７内に収納されるので、従来のように帳票の方向を並べかえる必要はなく、その手間がなくなることからその後の帳票管理が容易となる。
【００２０】
上記実施の形態では、抵抗部の形状としてリブ状の突起２０を例示したが、図３で示すように段差２１としてもよく、さらには、帳票１６の先端のスライドを防止可能な、例えば、粗面状に形成するなど、種々変更してもよい。
【００２１】
このようにカットされ、落下した帳票１６の先端が、収納部１７の底面に設けた抵抗部２０または２１により係止され、スライドすることはないので、帳票を所定方向に確実に回転させることができ、収納部内における帳票の収納方向を同じ方向にそろえることができる。
【図面の簡単な説明】
【００２２】
【図１】本発明による帳票発行装置の一実施の形態を示す構成図である。
【図２】同上一実施の形態における要部を拡大して示す構成図である。
【図３】本発明における抵抗部の別の形状例を示す構成例である。
【図４】従来装置を示しており、（ａ）は要部を示す構成図、（ｂ）は帳票が好ましくない方向に収納される状態図、（ｃ）は帳票が期待している方向に収納される状態図である。
【図５】従来装置による帳票の収納方向がばらばらになってしまった収納状態を示す図である。
【符号の説明】
【００２３】
１１    ロール状に巻回された帳票用紙
１４    印字部
１５    カッター
１５ａ    カット部
１６    カットされた帳票
１７    収納部
２０，２１    抵抗部
【図１】
2007238241.tif 000003
【図２】
2007238241.tif 000004
【図３】
2007238241.tif 000005
【図４】
2007238241.tif 000006
【図５】
2007238241.tif 000007